(57)【要約】本発明は、連結コネクタ、特にプレーナ形のラムダセンサ用の連結コネクタであって、ハウジング、つまりベース体及びカバーエレメントと、ハウジングに挿入可能でかつ固定可能な電気的な部材と、連結コネクタ内に又は別のコンタクトエレメントを介して連結コネクタの外側に取り付けられる、センサ、特にプレーナ形の広帯域ラムダセンサ用の調整エレメントとから成っており、さらに、ハウジングに挿入された少なくとも１つの電気的なフラットコネクタを固定するための固定エレメントとして働く二次ロックエレメントが設けられている形式のものに関する。  本発明の構成では、このような形式の連結コネクタにおいて、フラットコネクタ（７）に加えて付加的にコネクタハウジング（６）内にフラットコンタクト（８）が設けられており、該フラットコンタクト（８）が二次ロックエレメント（１）によって同時に固定可能であり、二次ロックエレメント（１）が第１の平面Ａに、ロックプレート（２）の形で形成されていてフラットコネクタ（７）を受容するための受容装置（３）を有し、かつ別の平面Ｂにスナップフック（４）の形をした固定装置を有している。
2005528768.tif 000002
【特許請求の範囲】
【請求項１】
連結コネクタ、特にプレーナ形のラムダセンサ用の連結コネクタであって、
ハウジング、つまりベース体及びカバーエレメントと、
ハウジングに挿入可能でかつ固定可能な電気的な部材と、
連結コネクタ内に又は別のコンタクトエレメントを介して連結コネクタの外側に取り付けられる、センサ、特にプレーナ形の広帯域ラムダセンサ用の調整エレメントとから成っており、さらに、
ハウジングに挿入された少なくとも１つの電気的なフラットコネクタを固定するための固定エレメントとして働く二次ロックエレメントが設けられている形式のものにおいて、
フラットコネクタ（７）に加えて付加的にコネクタハウジング（６）内にフラットコンタクト（８）が設けられており、該フラットコンタクト（８）が二次ロックエレメント（１）によって同時に固定可能であり、二次ロックエレメント（１）が第１の平面Ａに、ロックプレート（２）の形で形成されていてフラットコネクタ（７）を受容するための受容装置（３）を有し、かつ別の平面Ｂにスナップフック（４）の形をした固定装置を有していることを特徴とする連結コネクタ。
【請求項２】
スナップフック（４）が、ロックプレート（２）を起点として該ロックプレート（２）に対して少なくともほぼ垂直に延びている、請求項１記載の連結コネクタ。
【請求項３】
ロックプレート（２）及びスナップフック（４）が一体的な構成部材を形成している、請求項１又は２記載の連結コネクタ。
【発明の詳細な説明】
【技術分野】
【０００１】
本発明は、連結コネクタ、特にプレーナ形のラムダセンサ用の連結コネクタであって、
ハウジング、つまりベース体及びカバーエレメントと、
ハウジングに挿入可能でかつ固定可能な電気的な部材と、
連結コネクタ内に又は別のコンタクトエレメントを介して連結コネクタの外側に取り付けられる、センサ、特にプレーナ形の広帯域ラムダセンサ用の調整エレメントとから成っており、さらに、
ハウジングに挿入された少なくとも１つの電気的なフラットコネクタを固定するための固定エレメントとして働く二次ロックエレメントが設けられている形式のものに関する。
【０００２】
従来の技術
上記形式の連結コネクタは通常、ワイヤハーネスコネクタとラムダセンサとの間における結合のために形成されており、この場合、連結コネクタ内に設けられている接続部は、ラムダセンサの調整、信号及び／又は加熱のために設けられている。ラムダセンサ及びラムダ調整は、三元触媒との関連において有効な排ガス浄化法である。例えば排気ガス系にねじ込まれるラムダセンサは、排気ガス中における酸素含有量を測定するための測定センサを有している。
【０００３】
残留酸素含有量は、測定値として極めて適していて、空燃比を調整する。それというのは、残留酸素含有量は、空気燃料混合物いわゆる混合気が完全燃焼しているか否かを、正確に示すからである。
【０００４】
ラムダセンサは電圧信号を発信し、この電圧信号は混合気組成の瞬間的な値を再現し、混合気の変化に追従する。機関への燃料供給は混合気調整装置によってラムダセンサの信号に相応して、λ＝１の理論上の空燃比が得られるように調整される。排気ガス系の構成及び使用条件に応じて、加熱式の又は非加熱式のセンサが使用される。またラムダセンサは自動車の外側において、例えばガス機関の調整又はヒータ用のオイル・ガスバーナの調整などのためにも使用される。
【０００５】
特に広帯域ラムダセンサは、モジュール形式で構成されていて、プレーナ技術との関連において、複数の機能の統合（Integration）を可能にする。広帯域ラムダセンサは通常複数の機能層を有しており、これらの機能層は多孔性の保護層と、外部電極とセンサシートと内部電極と基準空気通路シートと絶縁層と加熱素子と加熱シートと抵抗もしくは調整エレメントと接続接点とから成っている。
【０００６】
広帯域ラムダセンサは、ネルンスト濃度セル（＝センサセル）と酸素イオンを運ぶポンプセルとの組合せから成っているので、λ＝１の理論上の値近辺においてのみならず、濃度が希薄な領域においても濃密な領域においても極めて正確な測定を実施することができる。
【０００７】
各センサは個々に調整することができる。そのためにセンサは組み込まれた抵抗（ミニ・ハイブリッド）を有している。有利にはレーザビームを用いて調整は次のように行われる。すなわちこの場合、セラミック基板における抵抗層が相応に削り取られ、これによって抵抗が変化せしめられ、ひいては調整が行われる。
【０００８】
ある構成では、調整ユニットもしくは抵抗が直接的にセンサに配置されている。また別の構成では、抵抗は外部に、例えばセンサに連結されたワイヤハーネスコネクタに取り付けられている。
【０００９】
水分、汚れ又はこれに類したものが、内部に相応なラムダセンサを備えた連結コネクタに侵入することを回避するために、かつまた相応な雰囲気が連結コネクタの内部に存在することを保証するために、連結コネクタはシールエレメントを有しており、例えばカバーエレメント又は付加的に設けられた圧力補償エレメントに配置されている。
【００１０】
冒頭に述べた形式の連結コネクタは、多種多様な形状で構成することができる。連結コネクタは通常は、相応なフラットコネクタを有する多極の連結コネクタである。
【００１１】
また別の構成はただフラットコンタクトだけを有している。
【００１２】
さらに別の構成は、フラットコネクタとフラットコンタクトとの組合せを有している。
【００１３】
特に、多極に構成されていて、フラットコンタクトと同時にフラットコネクタをも内蔵している連結コネクタの使用時には、ハウジング内に配置されたフラットコネクタを固定するために、フラットコネクタ領域に少なくとも１つの二次ロック装置が設けられており、さらにフラットコンタクトを相応にハウジング内において固定するために、付加的にフラットコンタクトのために別の二次ロック装置が設けられている。
【００１４】
従来技術の欠点
最後に挙げた連結コネクタの構成には次のような欠点がある。すなわちこのような公知の連結コネクタでは、二次ロック装置を用いてフラットコネクタ及びフラットコンタクトを相応に固定するために、付加的な作業ステップ及び組立てステップが必要である。
【００１５】
これによってさらに付加的に、フラットコネクタもしくはフラットコンタクトの固定が問題なく実施され得たのか否かを検査するために、複数回のチェックが必要になる。
【００１６】
発明の課題
ゆえに本発明の課題は上に述べた従来技術における欠点を排除することである。
【００１７】
課題の解決策
前記課題を解決するために本発明の構成では、フラットコネクタに加えて付加的にコネクタハウジング内にフラットコンタクトが設けられており、該フラットコンタクトが二次ロックエレメントによって同時に固定可能であり、二次ロックエレメントが第１の平面Ａに、スライドプレートの形で形成されていてフラットコネクタを受容するための受容装置を有し、かつ別の平面Ｂにスナップフックの形をした固定装置を有している。
【００１８】
発明の利点
本発明による解決策の大きな利点としては、ただ１つの構成部材を用いて２つの異なった平面においてロックを行うことができる、ということが挙げられる。
【００１９】
一方では、スライドプレートの構成によってフラットコネクタ接点のロックが行われ、かつ付加的にコネクタハウジング内への二次ロック装置の押込みによって、スライドプレートから延びているスナップフックによって、フラットコンタクトのロックが行われる。
【００２０】
二次ロック装置の本発明による構成は有利には、一体的な構成部材である。このように構成されていることによって、ストックされる構成部材の種類及び数が減じられ、構成部材の数を高めることなしに、可能な連結コネクタ構成の数を増される。
【００２１】
本発明による解決策の別の利点としては次のことが挙げられる。すなわち本発明の構成では、フラットコンタクトとフラットコネクタとの２つの差込み装置を有する従来の連結コネクタをなんら変更する必要がない。それというのは、本発明による二次ロック装置はいま現在存在する連結コネクタの構成に合わせられるからである。
【００２２】
図面
図１は、本発明による二次ロック装置の構成を示す斜視図であり、
図２は、図１に示された本発明による二次ロック装置を備えた連結コネクタを分解して示す斜視図であり、
図３は、図２に示された連結コネクタを示す縦断面図であり、
図４は、図２に示された連結コネクタを示す横断面図であり、
図５は、二次ロック装置がプレロック位置を占めている場合における、図２に示された連結コネクタを示す別の横断面図であり、
図６は、二次ロック装置が終端位置を占めている場合における、図２に示された連結コネクタを示す別の横断面図であり、
図７は、図２に示された連結コネクタを付加的にフラットコンタクトと共に示す縦断面図であり、
図８は、図７に示された連結コネクタを、二次ロック装置がプレロック位置を占めている場合で示す部分横断面図であり、
図９は、図７に示された連結コネクタを、二次ロック装置が終端位置を占めている場合で示す部分横断面図である。
【００２３】
実施例の記載
図１には、本発明による二次ロック装置１が示されている。二次ロック装置１は２つの平面Ａ，Ｂを有しており、第１の平面Ａにはロックプレート２が設けられており、このロックプレート２は受容装置３によって、図示されていないフラットコネクタを受容及び固定することができる。
【００２４】
別の平面Ｂには、ロックプレート２から離反する方向に延びるスナップフック４が設けられている。このスナップフック４は、図示されていないフラットコネクタを固定するために働き、このフラットコネクタは、ロックプレートに設けられた開口５を貫通して延びている。
【００２５】
二次ロック装置１は一体的なプラスチック射出成形部材である。この二次ロック装置１は図２〜図４に示されているように、連結コネクタＫのコネクタハウジング６に挿入され、これによって特に、コネクタハウジング６の内部に配置されているフラットコンタクト８及びフラットコネクタ７を固定することができる。
【００２６】
コネクタハウジング６にこれらの部材を挿入した後で、二次ロック装置１の側において、コンタクト保持体下側部分９が挿入され、このコンタクト保持体下側部分９は、二次ロック装置１と共働する。
【００２７】
コネクタハウジング６にはバランス抵抗１０が配置されており、このバランス抵抗１０はカバー１１によってシール部材１２と一緒に汚れ、水分及びこれに類したものに対して保護される（図３にはカバー１１及びシール部材１２は図面を見易くするために図示されていない）。
【００２８】
図５には本発明による二次ロック装置１がいわゆるプレロック位置（Vorraststellung）で示されている。このプレロック位置は、図２〜図４に示された連結コネクタＫの組立て直後に得られ、図示のフラットコネクタ７は、二次ロック装置１から間隔をおいて配置されている。矢印１３の方向における二次ロック装置１の移動によって、二次ロック装置１が最終位置を占めることによって直接的なロックが惹起され、かつ個々のフラットコネクタ７が固定される。図５及び図６に示されたフラットコンタクト８は、矢印１３の方向における二次ロック装置１の運動によって、非接触状態に留まる。
【００２９】
コネクタハウジング６内への二次ロック装置１の挿入によって、同時に、図７〜図９に示されたフラットコンタクト８のための二次ロック装置１のプレロック位置が得られる。ロックプレート２から離反する方向に延びているスナップフック４は、図８に示されているように、プレロック位置に移行する。矢印１４の方向における二次ロック装置１の移動によって、スナップフック４の一部であるノーズ１５は切欠き１６の後ろに係合し、規定された距離を進み、これによってフラットコンタクト８は固定される。
【００３０】
ワイヤハーネス用の二次ロック装置１が２つの平面に形成されていることによって、一方では組立てが簡単化され、かつ他方ではワイヤハーネスを極めて安価に製造することが可能になる。
【図面の簡単な説明】
【００３１】
【図１】本発明による二次ロック装置の構成を示す斜視図である。
【図２】図１に示された本発明による二次ロック装置を備えた連結コネクタを分解して示す斜視図である。
【図３】図２に示された連結コネクタを示す縦断面図である。
【図４】図２に示された連結コネクタを示す横断面図である。
【図５】二次ロック装置がプレロック位置を占めている場合における、図２に示された連結コネクタを示す別の横断面図である。
【図６】二次ロック装置が終端位置を占めている場合における、図２に示された連結コネクタを示す別の横断面図である。
【図７】図２に示された連結コネクタを付加的にフラットコンタクトと共に示す縦断面図である。
【図８】図７に示された連結コネクタを、二次ロック装置がプレロック位置を占めている場合で示す部分横断面図である。
【図９】図７に示された連結コネクタを、二次ロック装置が終端位置を占めている場合で示す部分横断面図である。
【図１】
2005528768.tif 000003
【図２】
2005528768.tif 000004
【図３】
2005528768.tif 000005
【図４】
2005528768.tif 000006
2005528768.tif 000007
【図７】
2005528768.tif 000008
2005528768.tif 000009
【国際調査報告】
2005528768.tif 000010
2005528768.tif 000011
2005528768.tif 000012
2005528768.tif 000013